(57)【要約】【課題】医用パースペクティブを使用してワークフローおよび生産性を改良し、複数のアプリケーションおよびワークフローの管理を改良する。【解決手段】システムは、ユーザに情報を提供する複数の医用アプリケーション、複数のパースペクティブ、複数のアプリケーションをパースペクティブと関連付ける医用パースペクティブマネージャを含む。医用パースペクティブマネージャにより、ユーザは、パースペクティブを使用して、１つまたは複数の関連するアプリケーションにアクセスすることが可能になる。各パースペクティブは、医用アプリケーションのうち少なくとも１つとの関係を保存する。複数の医用アプリケーションは、例えば複数の情報システムおよび／または画像システムを含むことができる。一実施形態では、各パースペクティブは情報の表示を個別設定して、ユーザ、状態および／またはシステムの関連情報を示す。【選択図】図１【特許請求の範囲】
【請求項１】
医用パースペクティブを使用して、複数のアプリケーションおよびワークフローの管理を改良するシステムであって、
ユーザに情報を提供する複数の医用アプリケーションと、
各パースペクティブが前記医用アプリケーションのうち少なくとも１つとの関係を保存する複数のパースペクティブと、
少なくとも１つのアプリケーションをパースペクティブと関連付ける医用パースペクティブマネージャであって、前記医用パースペクティブマネージャにより、ユーザは前記パースペクティブを使用して、少なくとも１つの関連するアプリケーションにアクセスすることが可能になる、医用パースペクティブマネージャと
を含むシステム。
【請求項２】
前記複数のパースペクティブは、ワークフローに基づいて構成要素の状況および対話を保存する、請求項１記載のシステム。
【請求項３】
前記複数の医用アプリケーションは複数の情報システムを含む、請求項１記載のシステム。
【請求項４】
前記複数の医用アプリケーションは複数の画像システムを含む、請求項１記載のシステム。
【請求項５】
前記医用パースペクティブマネージャのうち少なくとも１つ、前記複数のパースペクティブのうち少なくとも１つ、および前記複数の医用アプリケーションのうち少なくとも１つへのアクセスを認証する認証モジュールをさらに含む、請求項１記載のシステム。
【請求項６】
情報の可用性および表示のうち少なくとも一方を規定する少なくとも１つのルールを含むルールエンジンと、
クエリに基づいて複数の情報源から情報を取得し、前記少なくとも１つのルールに基づいて前記情報をフィルタリングするコンテキストマネージャと
をさらに含む、請求項１記載のシステム。
【請求項７】
各パースペクティブは情報の表示を個別設定して、ユーザ、状態およびシステムのうち少なくとも１つに関連した情報を示す、
請求項１記載のシステム。
【請求項８】
医用パースペクティブを提供して、複数のアプリケーションおよびワークフローを管理する方法であって、
特定の構成の情報を含む少なくとも１つのパースペクティブを保存するステップと、
情報を見るためのパースペクティブの選択を可能にするステップと、
前記選択されたパースペクティブを通じて前記情報へのアクセスを提供するステップと
を含む方法。
【請求項９】
前記少なくとも１つのパースペクティブは、ワークフローに基づいて構成要素間の状況および対話を保存する、請求項８記載の方法。
【請求項１０】
前記情報は、アプリケーション、画像、および情報システムのうち少なくとも１つを含む、請求項８記載の方法。
【請求項１１】
あるパースペクティブから他のパースペクティブへの変更を可能にするステップをさらに含む、請求項８記載の方法。
【請求項１２】
少なくとも１つのルールに基づいて前記情報をフィルタリングするステップをさらに含む、請求項８記載の方法。
【請求項１３】
前記パースペクティブへのアクセスを認証するステップをさらに含む、請求項８記載の方法。
【請求項１４】
前記実行するステップが、コンテキストの共有を使用して前記情報へのアクセスを提供するステップをさらに含む、請求項８記載の方法。
【請求項１５】
医療情報にアクセスする方法であって、
ディスプレイを見るためのパースペクティブを選択するステップであって、前記パースペクティブは前記ディスプレイに構成要素間の状況および関係のうち少なくとも一方を提供する、ステップと、
前記パースペクティブを介して少なくとも１つの構成要素からの情報にアクセスするステップと
を含む方法。
【請求項１６】
前記構成要素が、アプリケーション、画像、報告書、システム、およびデータのうち少なくとも１つを含む、請求項１５記載の方法。
【請求項１７】
前記パースペクティブを作成するステップをさらに含む、請求項１５記載の方法。
【請求項１８】
第２のパースペクティブに切り替えるステップをさらに含む、請求項１５記載の方法。
【請求項１９】
前記情報をフィルタリングするルールを適用するステップをさらに含む、請求項１５記載の方法。
【請求項２０】
コンピュータに対して命令の組を含むコンピュータ可読ストレージメディアであって、前記命令の組が、
システムの構成要素の構成および関係を示す医用パースペクティブを作成するパースペクティブ作成ルーチンであって、各構成要素は少なくとも１つの情報源に対応する、パースペクティブ作成ルーチンと、
複数の医用パースペクティブ間で選択するパースペクティブ管理ルーチンと
を含む、コンピュータ可読ストレージメディア。
【発明の詳細な説明】
【技術分野】
【０００１】
本発明は、概して保健医療環境のパースペクティブに関する。特に、本発明は、複数のアプリケーションおよびワークフローの管理を改良するための、医用パースペクティブの使用に関する。
【背景技術】
【０００２】
臨床および保健医療の環境は、組織によりもたらされる込み入った要求の厳しい環境であり、保健医療環境で使用される画像システム、データ保存システム、および他の装置の使いやすさを向上してきた。病院または診療所などの保健医療環境には、多くの専門家、患者、および装置が含まれる。保健医療施設の従事者は、複数の患者、システム、および課題を管理して、患者に質の高いサービスを提供しなくてはならない。保健医療の従事者は、そのワークフロー中に多くの困難または障害に直面する可能性がある。
【０００３】
臨床環境中の様々な集中力低下の要因となるものにより、医療従事者はしばしばその仕事の遂行を中断させられたり、または妨げられたりする可能性がある。さらに、放射線科の作業空間などの作業空間が、例えば様々なモニタ、データ入力装置、データ保存装置、および通信装置で乱雑になる可能性がある。乱雑な作業空間により、患者に対して非効率的なワークフローおよびサービスが生じる可能性があり、それにより、患者の健康および安全性に影響が及び、または保健医療施設には不利益が生じる可能性がある。データの入力およびアクセスもまた、一般的な保健医療施設では複雑である。
【０００４】
したがって、既に込み入った環境内に置かれ、日々の仕事を行うために使用される複数のおよび別々の装置を管理することは、医療または保健医療の従事者にとって困難である。加えて、装置間に相互運用性がないと、保健医療のワークフロー中に複数の装置を使用することに関連する遅延および不都合が増大する。また、複数の装置を使用することは、同一環境内で複数のログオンを管理することになる可能性がある。保健医療環境の複数の装置間の使用について使いやすさおよび相互運用性を改良するシステムおよび方法が非常に望まれるであろう。
【０００５】
キーボード、コンピュータのマウス装置、画像プローブ、および手術用装置などの複数の装置との広範な対話を必要とする保健医療環境では、反復動作による障害がしばしば生じる。反復運動による損失を最小限に抑えるためには反復運動の一部を削除するシステムおよび方法が非常に望まれるであろう。
【０００６】
病院または診療所などの保健医療環境は、病院情報システム（ＨＩＳ）および放射線科情報システム（ＲＩＳ）などの臨床情報システム、ならびに画像保管通信システム（ＰＡＣＳ）などの保存システムを含む。保存される情報は、例えば患者の病歴、画像データ、検査結果、診断情報、管理情報、および／またはスケジュール情報を含むことができる。これらの情報は集中的に保存され、または複数の場所に分けられることができる。保健医療の専門家は、保健医療のワークフローの様々な地点で、患者の情報または他の情報にアクセスすることを望むことがある。例えば、手術中に、医療従事者は、患者の解剖学的画像など、医療情報システムに保存された患者情報にアクセスすることがある。あるいは、医療従事者は現在行われている医療処置中に、病歴、診断または処置の情報などの新規情報を医療情報システムに入力することがある。
【０００７】
ＰＡＣＳなどの現在の情報システムでは、情報がキーボードおよび／またはマウスを備えたローカルコンピュータ端末を使用して入力または検索される。医療ワークフローの医療処置中または別の場合に、キーボード、マウスまたは同様の装置を物理的に使用することは、現実的に不可能であり（例えば異なる部屋では）、および／または不衛生的（すなわち、個々の無菌領域の完全性の破壊）である。ローカルコンピュータ端末を使用後に再び滅菌消毒することは、例えば手術室の医療従事者にとって現実的に不可能であることが多く、医療従事者は医療情報システムにアクセスしたがらなくなることがある。したがって、物理的接触をしないで医療情報システムへのアクセスを提供するシステムおよび方法が、ワークフローを改良し、無菌領域を維持するために非常に望ましいであろう。
【０００８】
設定し、操作するには、画像システムは複雑である。しばしば、保健医療の従事者は、患者の画像を取得し、患者の記録もしくは診断を参照し、または更新しようと試み、追加の検査または診察を指示している場合がある。したがって、操作者による画像システムと関連装置との操作および相互運用性を容易にするシステムおよび方法が必要である。
【０００９】
多くの場合、画像システムを操作者は、画像システムコンソールを使用して患者または他の被写体をスキャンするときに、困難を覚えることがある。例えば上肢および下肢の検査、圧縮検査、頸動脈検査、新生児の頭部検査、およびポータブル検査に超音波画像システムなどの画像システムを使用することは、一般的なシステム制御コンソールでは困難な場合がある。操作者は、コンソールおよびスキャンされる場所の双方に物理的に手を伸ばすことができないことがある。加えて、操作者は、スキャンされる患者を調整し、同時にコンソールでシステムを操作することはできないことがある。操作者は、電話またはコンピュータ端末に手を伸ばして、情報にアクセスし、または検査もしくは診察を指示することはできないことがある。検査を手助けするためにさらに操作者または助手を用意すると、検査のコストが増加し、操作者と助手との間に誤伝達が生じるので、ミスが起り、または使用できないデータを作成してしまうことがある。したがって、１人の操作者による画像システムおよび関連装置の操作を容易にする方法およびシステムが非常に望まれるであろう。
【００１０】
読影（例えば、放射線科または循環器科による処置の読影）は、患者のデジタル画像を見る医療関係者（例えば、放射線科医または循環器科医）による作業である。医師は診断用画像の内容に基づいて診断を行い、電子的に（例えば、ディクテーションまたは他の方法で）または紙上で結果についての報告をする。放射線科医または循環器科医などの医師は、一般的には、他の手法を使用して診断を行う。他の手法のいくつかの例は、事前検査および関連した事前（過去）検査ならびにそれらの結果、臨床検査（血液検査など）、アレルギー、病変結果、投薬、警告、文書画像、および他の手法である。
【００１１】
１人の医師により利用されるベンダーおよびシステムに応じて、放射線科医または循環器科医などの医師が利用可能な手法を参照するためには少数の選択肢しかない。第１には、利用可能な手法による情報の要望が紙形式で作成される可能性がある。第２には、医師は、放射線科情報システム（ＲＩＳ）、画像保管通信システム（ＰＡＣＳ）、電子カルテ（ＥＭＲ）、保健医療情報システム（ＨＩＳ）、および検査情報システム（ＬＩＳ）などの異なるアプリケーションを使用して、電子的に患者を検索し、情報を調べる場合がある。
【００１２】
第１の場合では、医師は、紙文書（大抵の場合、患者ごとに多くの紙文書を含む）を調べ、これに目を通すため、自分の焦点を読影のワークステーションから離してしまう。このことは、紙文書の量が膨大なために、医師のペースをダウンさせ、ミスの可能性が生じる。したがって、医師が見て、処理する紙文書の量を減らすシステムおよび方法が非常に望まれるであろう。
【００１３】
第２の場合では、電子情報システムは、異なるシステムを介し十分に通信しないことが多い。したがって、医師は別々にそれぞれのシステムにログオンし、それぞれのシステムで患者について検索し、各システムについて検査しなくてはならない。この種の厄介な仕事により、著しい遅延および潜在的なミスが生じてしまう。したがって、複数の電子情報システム間の通信および対話を改良するシステムおよび方法が非常に望まれるであろう。
【００１４】
加えて、仮にシステムがＣＣＯＷ（Ｃｌｉｎｉｃａｌ  Ｃｏｎｔｅｘｔ  Ｏｂｊｅｃｔ  Ｗｏｒｋｇｒｏｕｐ）などの仕組みを使用して複数のシステムの同一患者のコンテキストを医師に提供するよう統合されても、やはり医師が目を通すにはあまりにも多すぎる情報が提供される。異なるアプリケーションからの過剰な情報が同時に提供され、読影および分析の作業をペースダウンさせてしまう。ユーザが日常のワークフローに必要のないアプリケーションの構成要素をフィルタで取り除く必要がある。したがって、複数のシステムによって提供される情報を管理するシステムおよび方法が非常に望まれるであろう。
【発明の開示】
【発明が解決しようとする課題】
【００１５】
したがって、医用パースペクティブを使用してワークフローおよび生産性を改良し、複数のアプリケーションおよびワークフローの管理を改良するシステムおよび方法が必要である。
【課題を解決するための手段】
【００１６】
本発明の特定の実施形態が、医用パースペクティブを使用して、複数のアプリケーションおよびワークフローの管理を改良する方法およびシステムを実現する。一実施形態では、システムは、ユーザに情報を提供する複数の医用アプリケーション、複数のパースペクティブ、および１つまたは複数のアプリケーションをパースペクティブと関連付ける医用パースペクティブマネージャを含む。医用パースペクティブマネージャにより、ユーザは、パースペクティブを使用して、１つまたは複数の関連するアプリケーションにアクセスすることが可能になる。各パースペクティブは、医用アプリケーションのうち少なくとも１つとの関係を保存する。一実施形態では、パースペクティブはワークフローに基づいて構成要素の状況および対話を保存する。複数の医用アプリケーションは、例えば複数の情報システムおよび／または画像システムを含むことができる。一実施形態では、各パースペクティブは情報の表示を個別設定して、ユーザ、状態および／またはシステムの関連情報を示す。
【００１７】
一実施形態では、システムはまた、例えば医用パースペクティブマネージャ、１つもしくは複数のパースペクティブ、および／または１つもしくは複数の医用アプリケーションへのアクセスを認証する認証モジュールを含む。システムは、情報の可用性および／または表示を規定する少なくとも１つのルールを含むルールエンジンを含むことができる。システムはまた、クエリに基づいて複数の情報源から情報を取得し、ルール（複数可）に基づいて情報をフィルタリングするコンテキストマネージャを含むことができる。
【００１８】
医用パースペクティブを提供して、複数のアプリケーションおよびワークフローを管理する方法の特定の実施形態は、特定の構成の情報を含む少なくとも１つのパースペクティブを保存する段階と、情報を見るためのパースペクティブの選択を可能にする段階と、その選択されたパースペクティブを通じて情報へのアクセスを提供する段階とを含む。パースペクティブ（複数可）は、例えばワークフローに基づいて構成要素間の状況および対話を保存することができる。情報は、例えばアプリケーション、画像および／または情報システムを含むことができる。情報へのアクセスは、例えばコンテキストの共有を使用して提供されることができる。
【００１９】
一実施形態では、この方法は、１つのパースペクティブから他のパースペクティブへの変更を可能にする段階をさらに含む。この方法はまた、１つまたは複数のルールに基づいて情報をフィルタリングする段階を含むことができる。一実施形態では、パースペクティブへのアクセスが認証される。
【００２０】
一実施形態では、医療情報にアクセスする方法は、ディスプレイを見るためのパースペクティブを選択する段階を含み、パースペクティブはディスプレイに構成要素間の状況および／または関係を提供する。この方法はまた、パースペクティブを介して少なくとも１つの構成要素からの情報にアクセスする段階を含む。一実施形態では、構成要素は例えばアプリケーション、画像、報告書、システム、およびデータを含む。この方法はまた、パースペクティブを作成する段階を含むことができる。加えて、この方法は、第２のパースペクティブに切り替える段階を含むことができる。一実施形態では、ルールが適用されて、情報をフィルタリングすることができる。
【００２１】
一実施形態では、コンピュータ可読ストレージメディアがコンピュータ用の命令の組を含む。命令の組は、システムの構成要素の構成および関係を示す医用パースペクティブを作成するパースペクティブ作成ルーチンを含み、各構成要素は少なくとも１つの情報源に対応する。命令の組は、また、複数の医用パースペクティブ間で選択するパースペクティブ管理ルーチンを含む。
【００２２】
前述の概要ならびに本発明の特定の実施形態についての下記の詳細な説明は、添付の図面と併せて読むと、より理解されるであろう。本発明を示すためには、特定の実施形態が図面に示される。しかし、本発明は添付の図面に示された構成および手段に限定されないことを理解されたい。
【発明を実施するための最良の形態】
【００２３】
図１に、本発明の一実施形態により使用される医用アプリケーションのパースペクティブシステム１００を示す。システム１００は、複数の医用アプリケーション１１０、１１１、１１２、１１３、１１４、医用アプリケーションのパースペクティブマネージャ１２０、および複数の医用パースペクティブ１３０、１３１、１３２を含む。システム１００の構成要素は、コンピュータ、医療システム、保存装置、カスタムプロセッサ、および／または他の処理装置などの１つまたは複数の処理装置の有線および／または無線の接続を介して通信することができる。
【００２４】
複数の医用アプリケーション１１０〜１１４は、例えば１つまたは複数の画像モダリティと関連付けられることができる。アプリケーション１１０〜１１４は、医用ソフトウェアアプリケーション、ならびに非医用ソフトウェアアプリケーションを含むことができる。アプリケーションは、例えばＲＩＳ構成要素１１０、ＰＡＣＳ構成要素１１１、ＬＩＳ構成要素１１２、ＥＭＲ構成要素１１３、およびＡＷ（マルチモダリティアドバンテージワークステーション）構成要素１１４を含むことができる。
【００２５】
複数の医用パースペクティブ１３０〜１３２は、ワークフローに基づいて、医用アプリケーション１１０〜１１４間の視覚化された構成要素の状況および対話を保存するソフトウェアの構成要素である。医用アプリケーションのパースペクティブ１３０〜１３２は、システム１００のユーザに複数の利益をもたらすように使用される仕組みである。例えばパースペクティブ１３０〜１３２は、ユーザが見る異なったアプリケーション１１０〜１１４と構成要素との間に共有する患者のコンテキストを備える。加えて、例えばパースペクティブ１３０〜１３２は、ユーザが任意の所与点でアプリケーション１１０〜１１４および構成要素のどれを見たいかに基づいて、異なる構成間すなわちパースペクティブ１３０〜１３２間で切り替える能力を備える。さらには、例えばパースペクティブ１３０〜１３２は、特定のワークフローの段階を保存または「記憶」する能力を備える。パースペクティブ１３０〜１３２は、例えば特定のユーザ、グループ、および／または機能に関連した情報を保存し、表示する仕組みを備える。
【００２６】
図１では、パースペクティブ１３０〜１３２は、１人もしくは複数のユーザにより、および／または１人もしくは複数のユーザのために、保存されることができるパースペクティブの例を提供している。例えば、パースペクティブは、検査ワークリストをカラーモニタ上に、表示される１つまたは複数の画像を１つまたは複数の診断モニタ上に、およびレポートエディタをカラーモニタの下端部上に表示することを含むことができる。例えば他のパースペクティブは、関連事前報告書（複数可）をカラーモニタ上に、関連事前画像（複数可）を１つの診断モニタ上に、および現在の画像（複数可）を他の診断モニタ上に表示することを含むことができる。例えばパースペクティブは、患者の一定期間（例えば２カ月間）のすべての検査およびアレルギーをカラーモニタ上に表示し、ならびに現在の画像（複数可）を診断モニタ（複数可）上に表示することを示すことができる。他の例としては、パースペクティブは、現在の検査の任意の最大投影法／多断面再構成（ＭＩＰ／ＭＰＲ）画像の組を診断モニタ上に表示することを含むことができる。
【００２７】
医用アプリケーションのパースペクティブマネージャ１２０は、１つまたは複数のパースペクティブ１３０〜１３２およびアプリケーション１１０〜１１４を調整し、制御するために、集積されたまたは独立型のソフトウェアおよび／またはハードウェアの装置であることができる。システム１００のユーザは、医用アプリケーションのパースペクティブマネージャ１２０を介してオンザフライで医用パースペクティブ１３０〜１３２に「切り替える」、または「指定される」ことができる。利用可能なパースペクティブ１３０〜１３２に基づいて、ユーザはパースペクティブ１３０〜１３２間で切り替え、検査または他のデータを読み取ることができる。ユーザは、例えばマウス装置、キーボードショートカット、視線測定、および／またはボイスコマンドを使用して、医用アプリケーションのパースペクティブマネージャ１２０を介して利用可能なパースペクティブ１３０〜１３２間で切り替えることができる。一実施形態では、パースペクティブマネージャ１２０はデータベースを含み、パースペクティブ１３０〜１３２および関連情報を保存することができる。例えば、個々の放射線科医および／または循環器科医の特定のワークフローはデータベースに保存され、それにより、ユーザがどこでシステム１００にログインしようとも、それぞれの放射線科医／循環器科医は、同じ一連のパースペクティブを通じて同じワークフローを使用するようにすることができる。したがって、ユーザには、例えば検査および他のデータを任意の診断ワークステーションで迅速におよび効率的に読み取るという利点がある。
【００２８】
一実施形態では、医用アプリケーションのパースペクティブマネージャ１２０は、認証装置を含み、および／または認証装置と通信する。認証装置は、１つもしくは複数のアプリケーション１１０〜１１４、パースペクティブ１３０〜１３２および／またはマネージャ１２０にアクセスするユーザの権利を確認するためのソフトウェアおよび／またはハードウェアを含むことができる。一実施形態では、パースペクティブマネージャ１２０を介して認証を行うことが、ユーザのために関連したアプリケーション１１０〜１１４およびパースペクティブ１３０〜１３２へのアクセスを可能にする。例えば、ユーザが、パースペクティブマネージャ１２０を実行するシステムにログオンする場合には、ユーザは既定のパースペクティブによる以前の保存に基づいて自動的にＲＩＳ、ＰＡＣＳおよびＥＭＲのシステムに自動的にログオンされる。
【００２９】
動作中、放射線科医または循環器科医などのユーザは、例えばＲＩＳ／ＰＡＣＳシステムを介してパースペクティブマネージャ１２０にアクセスする。ＲＩＳおよびＰＡＣＳのシステムは、例えば共有の患者および検査のコンテキストを含んだ単一のシステムに統合されることができる。したがって、ユーザは、患者に関連した以前の病歴（例えば画像および報告書）にアクセスする。ユーザが既に作成した異なるパースペクティブを使用して、ユーザはパースペクティブ間で切り替えて所望の情報を見ることができる。医用アプリケーションのパースペクティブ１３０〜１３２は、様々な方法でユーザに提供されることができる。例えばパースペクティブは、医用のソフトウェアおよび／またはハードウェアのプロバイダから予め選択された構成要素および／またはワークフローの組を介して提供されることができる。パースペクティブは、システムアドミニストレータにより作成されるパースペクティブを介してもまた提供されることできる。加えて、ユーザはシステム１００の動作中、動的に（すなわちオンザフライで）パースペクティブを作成することができる。したがって、ユーザは、ワークフローに基づいて１つまたは複数のモニタの可視範囲で表示するために構成要素および／またはアプリケーションを選択することができる。このとき、情報／構成は、１つまたは複数のパースペクティブに保存されることができる。ユーザは、パースペクティブ間で切り替え、検査または他のデータをディスプレイおよび／またはプリンタなどの様々な装置上で読み取ることができる。ユーザは、マネージャ１２０を介してパースペクティブ、検査、報告書、および／または他のデータを保存することができる。
【００３０】
一実施形態では、複数のアプリケーションは、患者の診断に関して放射線科医または循環器科医に情報を提供していることができる。放射線科医／循環器科医が利用可能な１つまたは複数のディスプレイには、すべての情報を表示するには十分な画面スペースがない場合がある。加えて、すべての利用可能な情報を表示すると、あまりにも込み入って有用でなくなるであろう。たとえ情報がルールでフィルタリングされても、過剰な情報がやはり残存する場合がある。したがって、マネージャ１２０およびシステム１００により、ユーザはワークステーションの医用パースペクティブを使用して、複数のアプリケーションおよびシステムからの情報を見ることが可能になる。あるパースペクティブは、例えば放射線科からの画像および／または検査の結果を示すように設定されてよい。他のパースペクティブは、例えば循環器科からの画像および／または検査の結果を示すように設定されてよい。他のパースペクティブは、例えば画像処理からの画像および／または検査の結果を示すように設定されてよい。
【００３１】
一実施形態では、アプリケーション１１０〜１１４、マネージャ１２０、およびパースペクティブ１３０〜１３２は、複数の診断表示のアプリケーションおよび他のアプリケーションを提供する汎用ワークステーションに集積されることができる。ワークステーションは、例えば何百もの構成要素およびワークフローを含む多くの医用アプリケーションを提供することができる。パースペクティブ１３０〜１３２およびパースペクティブマネージャ１２０を使用して、ユーザが日常のワークフローで使用しないアプリケーションの構成要素をフィルタで取り除くことができる。
【００３２】
パースペクティブを使用して、異なるアプリケーション１１０〜１１４を論理的に分類することができる。ルール、構成選択肢、および／または他の基準が、パースペクティブ１３０〜１３２を定義するために定義されることができる。パースペクティブは、例えば画像、検査結果、検査データ、患者の病歴データ、構造化報告書データ、ＤＩＣＯＭデータ、および／または他のデータに関して定義されることができる。一実施形態では、パースペクティブ１３０〜１３２は、情報を削除または変更せず、むしろ特定の方法で情報を順序付けする。例えばユーザに重要な情報は、まず、異なるパースペクティブを介して利用可能な追加情報と共に表示されることができる。一実施形態では、マネージャ１２０は、例えばユーザの選択または他の構成の情報を通じて「学習」し、ユーザによる手入力の介入がなくても自動的にパースペクティブを作成することができる。
【００３３】
一実施形態では、マネージャ１２０は、ルールベースのコンテキストマネージャと共に動作して、情報をフィルタリングし、表示することができる。ルールベースのコンテキストマネージャの一例が、発明者Ｐｒａｋａｓｈ  Ｍａｈｅｓｈで「Ｓｙｓｔｅｍ  ａｎｄ  Ｍｅｔｈｏｄ  ｆｏｒ  Ｒｕｌｅｓ‐Ｂａｓｅｄ  Ｃｏｎｔｅｘｔ  Ｍａｎａｇｅｍｅｎｔ  ｉｎ  Ｒａｄｉｏｌｏｇｙ  ａｎｄ  Ｃａｒｄｉｏｌｏｇｙ  Ｄｉａｇｎｏｓｔｉｃ  Ｒｅａｄｉｎｇ」という表題の２００４年１０月１日に出願した米国特許出願に記載されており、これは全体的に参照により本明細書に組み込まれている。
【００３４】
図２に、本発明の一実施形態による複数のアプリケーションおよびワークフローを管理する方法２００の流れ図を示す。まず、段階２１０ではパースペクティブが作成される。例えば、パースペクティブは、システムアドミニストレータにより、ユーザにより、および／または自動的にソフトウェアプログラムにより、作成されることができる。パースペクティブは、例えばワークフロー、アプリケーション、報告書、画像、および／または他の情報を取り込み、保存することができる。パースペクティブは、例えば特定のユーザまたはユーザのグループ（例えば外科医、放射線科医、循環器科医など）のため、特定の使用または使用のグループ（例えば画像誘導手術、放射線読影、構造化報告、検査など）のため、特定のモダリティ（例えばＸ線、超音波、磁気共鳴による撮像など）のため、および／または特定のプラットフォーム（例えばＰＡＣＳ、集積化ＲＩＳ／ＰＡＣＳ、撮像システムなど）のために作成されることができる。
【００３５】
次いで、段階２２０では、パースペクティブは保存される。パースペクティブは、例えば揮発性のおよび／または不揮発性のストレージに保存されることができる。一実施形態では、パースペクティブは、例えば特定のユーザ、ユーザのグループ、アプリケーション、および／またはプラットフォームと関連して保存されることができる。パースペクティブは、例えばワークフローに基づいて視覚化された構成要素の状況および対話を保存する。
【００３６】
次に、段階２３０では、ユーザはマネージャ１２０などの医用パースペクティブマネージャにアクセスする。ユーザおよび／またはソフトウェアはパースペクティブマネージャを使用して、パースペクティブを開くために、選択することができる。一実施形態では、特定の制約および／または許可が、特定のユーザがアクセスすることができるパースペクティブを限定することができる。一実施形態では、ユーザはマネージャで（例えばパスワード、パスコード、および／またはバイオメトリック認証を通じて）認証される。次いで、マネージャは、選択されたパースペクティブと関連した関連アプリケーションおよび／またはシステムでユーザを自動的に認証する。代替としては、認証は、パースペクティブを通してそれぞれのアプリケーションおよび／またはシステムのアクセスごとに別々に行われることができる。
【００３７】
段階２４０では、ユーザは選択されたパースペクティブを介して、アプリケーション、システム、ワークフロー、および／またはデータなどの情報源を活用する。例えばユーザは、選択されたパースペクティブを通じて、画像、検査結果、および患者の病歴を見る。パースペクティブにより、情報は特定のユーザに対してカスタマイズされることができる。続いて、段階２５０では、ユーザは、パースペクティブ間で切り替えて、情報、アプリケーション、および／またはワークフローなどの情報源の他の組にアクセスすることができる。例えばユーザは、画像および放射線検査の結果を示すパースペクティブと検査のワークリストおよびレポートエディタを示すパースペクティブとの間で切り替えることができる。次に、段階２６０では、例えばユーザ、システムアドミニストレータ、および／またはソフトウェアは、パースペクティブを修正することができる。
【００３８】
一実施形態では、方法２００はまた、コンテキストベースのルールなどのルールに基づいて１つまたは複数のパースペクティブに利用可能な情報をフィルタリングすることを含むことができる。このルールを使用して、１つまたは複数の定義された基準に基づいてユーザに示される情報をさらに減らし、および／または調整することができる。情報を順序付けし、減らすことにより、ユーザのワークフローを改良し、生産性を向上させる。
【００３９】
したがって、特定の実施形態は、他の情報システムからの関連情報を使用する放射線科医、循環器科医、または他のユーザの読影検査についてさらに高い生産性を促進する。さらに高い生産性には、診断が行われることのできるスピード、およびその診断に基づいて作成される報告書の正確さが含まれる。ワークフローの段階は、パースペクティブの形式で保存されることができる。ユーザは、パースペクティブ間で途切れなく切り替えることができる。特定の実施形態では、ユーザは、ボイスコマンドおよび／または視線測定などの技術を使用して、キーボードまたはマウスに触れることなく、パースペクティブ間で切り替えることができる。代替としては、ユーザは、マウス装置またはボタンによるシングルクリックを使用して、パースペクティブ間で切り替えることができる。したがって、特定の実施形態により、ユーザは、自分が望むワークフローで、自分が望む情報だけを見ることが可能になる。特定の実施形態により、ユーザは所与の時間においてアクセスされるアプリケーションの数を管理することが可能になる。
【００４０】
本発明を特定の実施形態を参照して述べてきたが、本発明の範囲から逸脱することなく様々な変更が行われ、均等物が代用されることができることを当業者なら理解するであろう。加えて、多くの修正がその範囲から逸脱することなく、特定の状況または情報を本発明の教示に適合するように行われることができる。したがって、本発明は開示された特定の実施形態に限定されるものではなく、本発明は添付の特許請求項の範囲内に収まるすべての実施形態を含むことを意図する。
【図面の簡単な説明】
【００４１】
【図１】本発明の一実施形態により使用される医用アプリケーションのパースペクティブシステムを示す図である。
【図２】本発明の一実施形態により複数のアプリケーションおよびワークフローを管理する方法の流れ図である。
【図１】
2008515119.tif 000002
【図２】
2008515119.tif 000003